(57)【特許請求の範囲】
【請求項１】
露光枠を挟んで一方の側に未露光フィルム収納室を、他方の側に露光済みフィルム収納室を有し、該未露光フィルム室には製造段階で少なくともフィルム後端部に遮光紙を有する未露光のフィルムがロール状に巻回されて収容されると共に、該露光済みフィルム収納室に回動自在のスプールが収納され、前記フィルムの先端に設けたリーダー部を前記スプールに係止し撮影の度に露光済みのフィルムを前記スプールに巻回され、前記遮光紙で露光済みのフィルムを遮光して外に取り出されるレンズ付きフィルムユニットにおいて、
前記遮光紙の最後端の位置を検知するフィルム最後端検知手段と、
前記フィルム最後端検知手段の検知に基づき、前記スプールに巻回した前記フィルムを前記スプールに巻き締めるフィルム巻締め手段と、
を備えたことを特徴とするレンズ付きフィルムユニット。
【請求項２】
露光枠を挟んで一方の側に未露光フィルム収納室を、他方の側に露光済みフィルム収納室を有し、該未露光フィルム室には製造段階で少なくともフィルム後端部に遮光紙を有する未露光のフィルムがロール状に巻回されて収容されるとともに、該露光済みフィルム収納室に回動自在のスプールが収納され、前記フィルムの先端に設けたリーダー部を前記スプールに係止し撮影の度に露光済みのフィルムを前記スプールに巻回され、前記遮光紙で露光済みのフィルムを遮光して外に取り出されるレンズ付きフィルムユニットにおいて、
前記フィルムの搬送長さを計測する計測機構により、前記フィルムの最終駒が露光枠の位置にある状態と前記フィルムの最後端が前記スプールのある位置にある状態との間の予め定めた状態に前記フィルムが搬送されたことを検知するフィルム位置検知手段と、
前記フィルム位置検知手段による検知に基づき前記スプールに巻回した前記フィルムを前記スプールに巻き締めるフィルム巻締め手段と、
を備えたことを特徴とするレンズ付きフィルムユニット。
【請求項３】
露光枠を挟んで一方の側に未露光フィルム収納室を、他方の側に露光済みフィルム収納室を有し、該未露光フィルム室には製造段階で少なくともフィルム後端部に遮光紙を有する未露光のフィルムがロール状に巻回されて収容されるとともに、該露光済みフィルム収納室に回動自在のスプールが収納され、前記フィルムの先端に設けたリーダー部を前記スプールに係止し撮影の度に露光済みのフィルムを前記スプールに巻回され、前記遮光紙で露光済みのフィルムを遮光して外に取り出されるレンズ付きフィルムユニットにおいて、
前記スプールに巻回した前記フィルムを前記スプールに巻き締めるフィルム巻締め手段を備えたことを特徴とするレンズ付きフィルムユニット。
【請求項４】
前記フィルム巻締め手段は、最終駒の撮影終了後の所定タイミングで前記スプールに巻回した前記フィルムを前記スプールに巻き締めることを特徴とする請求項３に記載のレンズ付きフィルムユニット。
【発明の詳細な説明】
【０００１】
【発明の属する技術分野】
本発明はレンズ付きフィルムユニットに関する。
【０００２】
【従来の技術】
従来より、フィルムの後端部に設けられた遮光紙と、スプールに設けられたつばで遮光状態を保つように構成されたフィルムが知られている。このようなフィルムは、たるみをもってスプールに巻かれると遮光状態を保つことが出来ないため、必ずたるみのない状態で巻き取られることが要求される。従って、このようなフィルムを扱うカメラにおいては、フィルムを巻き取る際にフィルムがたるみをもって巻かれるいわゆるブル巻きにならない機構が設けられている。例えば、未露光フィルムを巻いたスプールにフリクションをかけ、フィルムに張力をあたえて露光済フィルムをスプールに巻き取りブル巻きにならないようにしている。更に、フィルムを取り出す際に、カメラにフィルムが入っている状態でブル巻きの有無を確認し、ブル巻きになっている場合、巻き上げノブ等を操作して再度巻き上げを行い、巻き締めを行ってから取り出すようにされている。
【０００４】
【発明が解決しようとする課題】
従来より、広く使用されているレンズ付きフィルムは、近年幅広いユーザーの要望に応えるために様々なタイプのものが提案されており、上述したような後端部に遮光紙を有し、更に先端部にリーダー部を備えたフィルムを内蔵することも提案されている。このようなフィルムは、上述したようにフィルムの光線漏れを防止するために、フィルムがブル巻きになっていないことを確認してから取り出すことが要求される。特にレンズ付きフィルムユニットにおいてはフィルムを長時間内蔵することにより巻き癖が強くなったり、製造時のバラツキ等により通常のカメラで使用する場合よりもブル巻きになり易いため、これを防止することが非常に重要となる。一方、レンズ付きフィルムユニットは、撮影完了後は現像所にまとめて集配され、大量のユニットをまとめて処理されることが多い。従ってユニットからのフィルムの取り出し作業は極力時間をかけずに簡単に行えることが望まれるが、フィルムを取り出す際にフィルムのブル巻きを個々に確認していると作業効率が著しく低下してしまう。このため、フィルムの巻き上げ終了時点で確実にブル巻きが解消されるような構造を、低コストで実現することが望まれる。
【０００６】
本発明は上記の課題に鑑みなされたもので、本発明の目的は、レンズ付きフィルムユニットよりスプールに巻き取られた露光済みフィルムを取り出した後に、フィルムのブル巻きによる光線漏れがないレンズ付きフィルムユニットを提供することにある。
【０００７】
【課題を解決するための手段】
上記の目的は下記のいずれかの手段により達成される。
【０００８】
（１）、露光枠を挟んで一方の側に未露光フィルム収納室を、他方の側に露光済みフィルム収納室を有し、該未露光フィルム室には製造段階で少なくともフィルム後端部に遮光紙を有する未露光のフィルムがロール状に巻回されて収容されると共に、該露光済みフィルム収納室に回動自在のスプールが収納され、前記フィルムの先端に設けたリーダー部を前記スプールに係止し撮影の度に露光済みのフィルムを前記スプールに巻回され、前記遮光紙で露光済みのフィルムを遮光して外に取り出されるレンズ付きフィルムユニットにおいて、前記遮光紙の最後端の位置を検知するフィルム最後端検知手段と、前記フィルム最後端検知手段の検知に基づき、前記スプールに巻回した前記フィルムを前記スプールに巻き締めるフィルム巻締め手段と、を備えたことを特徴とするレンズ付きフィルムユニット。
【０００９】
（２）、露光枠を挟んで一方の側に未露光フィルム収納室を、他方の側に露光済みフィルム収納室を有し、該未露光フィルム室には製造段階で少なくともフィルム後端部に遮光紙を有する未露光のフィルムがロール状に巻回されて収容されるとともに、該露光済みフィルム収納室に回動自在のスプールが収納され、前記フィルムの先端に設けたリーダー部を前記スプールに係止し撮影の度に露光済みのフィルムを前記スプールに巻回され、前記遮光紙で露光済みのフィルムを遮光して外に取り出されるレンズ付きフィルムユニットにおいて、前記フィルムの搬送長さを計測する計測機構により、前記フィルムの最終駒が露光枠の位置にある状態と前記フィルムの最後端が前記スプールのある位置にある状態との間の予め定めた状態に前記フィルムが搬送されたことを検知するフィルム位置検知手段と、前記フィルム位置検知手段による検知に基づき前記スプールに巻回した前記フィルムを前記スプールに巻き締めるフィルム巻締め手段と、を備えたことを特徴とするレンズ付きフィルムユニット。
【００１０】
（３）、露光枠を挟んで一方の側に未露光フィルム収納室を、他方の側に露光済みフィルム収納室を有し、該未露光フィルム室には製造段階で少なくともフィルム後端部に遮光紙を有する未露光のフィルムがロール状に巻回されて収容されるとともに、該露光済みフィルム収納室に回動自在のスプールが収納され、前記フィルムの先端に設けたリーダー部を前記スプールに係止し撮影の度に露光済みのフィルムを前記スプールに巻回され、前記遮光紙で露光済みのフィルムを遮光して外に取り出されるレンズ付きフィルムユニットにおいて、前記スプールに巻回した前記フィルムを前記スプールに巻き締めるフィルム巻締め手段を備えたことを特徴とするレンズ付きフィルムユニット。
【００１２】
【発明の実施の形態】
実施の形態のレンズ付きフィルムユニットについて図面を参照して説明する。
【００１３】
（実施の形態１）
図１はレンズ付きフィルムユニットの外観斜視図で、図２はレンズ付きフィルムユニットの要部構成背面図で、更に図３はレンズ付きフィルムユニットのフィルムの巻き締めが行われている状態の構成側面図である。
【００１４】
図１で、図示しないユニット本体には、撮影レンズ２、ファインダ３、ストロボ発光部４、ストロボ充電釦５、レリーズ釦６がそれぞれ配置され、また前カバー１２、後カバー７でケーシングされている。なお、後述する構成を備えておれば、撮影レンズ２を含む撮影機構の配置は図１に限定されるものではなく、どのような配置にしてもよい。
【００１５】
図２及び図３で、実施の形態は遮光紙付きの幅約６ｃｍのブローニフィルム（単にフィルムともいう）を使用したレンズ付きフィルムユニットである。ユニット本体１の背面中央には、撮影時に被写体光を横方向の長辺５６ｍｍ、縦方向の短辺４１．５ｍｍの所謂セミ判サイズの画面サイズでフィルムＦに露光する露光枠１０が配置され、露光枠１０の一方の側（本実施の形態においては下方）に未露光のフィルムＦを収納する未露光フィルム収納室８が配置され、露光枠１０の他方の側（本実施の形態においては上方）に露光済のフィルムを空のスプール４０に巻き取って収納する露光済フィルム収納室９が設けられている。製造段階で未露光のフィルムＦはスプール４５に巻かれて未露光フィルム収納室８に収納され、スプール４０は露光済フィルム収納室９に収納される。リーダー部がスプール４０に係止された後、後カバー７（図１参照）が取り付けられ、フィルムＦは光密に保持される。また、フィルム巻き取り完了後、遮光紙でフィルムを遮光して取り出せる。
【００１６】
フィルム最後端検知手段はフィルムの最後端が未露光フィルム収納室８と露光済みフィルム収納室９の間に設けた所定位置を通過したとき、これを検知する。更に詳しくは、この実施形態ではフィルムＦの最後端が第１レバー２１のある位置にきた位置を所定位置としている。第１レバー２１の先端部２１ｂはフィルムＦに当接（図３の第１レバー２１の２点鎖線）しており、フィルムＦの最後端が先端部２１ｂを通過すると当接がなくなりこれを検知する（図３の第１レバー２１の実線）。
【００１７】
次に、フィルム巻締め手段はスプール４０に巻き取られたフィルムＦを巻き締める手段で、更に詳しくは、フィルムＦの感光面と反対面より摩擦部材３２を介してスプール４０の軸方向に押圧しながらスプール４０をフィルム巻取り方向に回転させてフィルムＦをスプール４０に巻き締めする手段である。
【００１８】
ここで、フィルムの巻き締め作用について説明すると、撮影終了後に、レンズ付きフィルムユニットはフィルムＦが内蔵されたまま、現像及びプリントを写真店に依頼するが、写真店ではラボに送る。ラボでは図示しない巻上げノブ（図２参照）によりフィルムＦを巻き取り方向に回動させ、スプール４０が回転してフィルムＦが巻き取られる。フィルムＦの最後端が第１レバー２１の先端部２１ｂを通過すると、第１レバー２１はバネ３４の作用により図３の如く軸３３を中心に時計方向に回動する。すると、第１レバー２１のフォーク部２１ａと係合するピン３１ａを押し、ピン３１ａが固定された第２レバー３１が同方向に回転する。すると、第２レバー３１の端部３１ｂに固定された摩擦部材３２を介してスプール４０に巻かれたフィルムＦを押す。この状態でスプール４０の回転を続けるとフィルムＦはスプール４０に巻き締められていく。その後、図示しない後カバーを開けて露光済みフィルムを取り出す。以上によりフィルムのブル巻きがなくなり光線漏れが防止できる。
【００１９】
（実施の形態２）
本発明のレンズ付きフィルムユニットを図面を参照して説明する。図４はレンズ付きフィルムユニットのフィルム巻き締め中の状態を示す側面図である。なお、図１，図２と機能的、機構的に同じ部材は説明を省略する。
【００２０】
図４で、フィルム位置検知手段はフィルムＦの搬送長さを計測する計測機構により、フィルムＦの最終画面が露光枠１０（図２の１０）にある位置よりフィルムＦの最端部がスプール４０の位置の間の予め定めた所定位置にきたとき、これを検知する。この実施形態では所定位置はフィルムＦの最終駒の次の１駒分送られた位置である。
【００２１】
また、フィルム巻締め手段はフィルム位置検知手段の検知に基づきスプール４０に巻回したフィルムＦを摩擦部材３４を介してスプール４０の軸方向に押圧しながらスプール４０をフィルム巻き取り方向に回転させてフィルムＦをスプール４０に巻き締める。
【００２２】
詳しく説明すると、フィルムＦが移動するとフィルムＦに圧接したローラ１３が回転し、ローラ１３と固定の歯車１４が回転する。すると歯車１４とかみ合う歯車１５が回転し、同時に歯車１４と一体のカム１６、フィルム指数目盛り板１７が回転する。フィルムが１駒送られるとフィルム指数盤は１ピッチ進み指標１７１で撮影駒数を表示する。一方カム１６は、フィルムが撮影可能状態にあるときはレバー１８の先端部１８ａは最大外径にあり、最終撮影駒の後、更に１駒分送られると、レバー１８の先端部１８ａは凹部１６ａに当接する。レバー１８は軸１９で回動自在となっており、更にバネ２０が反時計方向に付勢されている。レバー１８の先端部１８ａが凹部１６ａに当接しているとき、凸部１８ｂは摩擦部材３４を介してフィルムＦを背面よりスプール４０の方向に押圧する。この押圧状態でスプール４０が回転すると、フィルムＦはスプールに巻き締められる。
【００２３】
ここでフィルムの巻き締め作用を説明すると、レンズ付きフィルムユニットの撮影が全て終了し、写真店よりラボにレンズ付きフィルムユニットが持ち込まれる。ここで図示しない巻上げノブ（図２参照）を回動させるとスプール４０が図４に示す如く時計方向に回転する。するとフィルムＦが巻き取られ、同時にフィルムＦに当接しているローラ１３が回転し、歯車１４、歯車１５が回転し、カム１６が反時計方向に回転する。すると、レバー１８が反時計方向に作動し図４の状態になる。すると、レバー１８の凸部１８ｂがフィルムＦを摩擦部材３４を介して押し、スプール４０の回転を続けると、フィルムＦはスプール４０に巻き締められていく。その後、図示しない後カバーを開けてスプール４０に巻き締められたフィルムを取り出す。以上によりフィルムのブル巻きがなくなり光線漏れが防止できる。
【００２４】
（参考例１）
次に、レンズ付きフィルムユニットの製造方法について図を参照して説明する。図５はレンズ付きフィルムユニットの要部製造工程図で、図６はフィルムのリーダー部とスプールの斜視図で、図７は組立治具によるリーダー部のスプールへの係止方法の説明図である。なお、この方法で製造されるレンズ付きフィルムユニットは露光枠を挟んで一方の側に未露光フィルム収納室を、他方の側に露光済みフィルム収納室を有している。また未露光フィルム室には製造段階で少なくともフィルムのリーダー部は遮光紙を有するフィルムがロール状に巻回されて収容され、該露光済みフィルム収納室に回動自在のスプールが収納され、前記フィルムのリーダー部は前記スプールに係止している。
【００２５】
図５で、レンズ付きフィルムユニットの要部製造工程を説明すると、ユニット本体１はシャッター、ファインダー等が組み込まれ、その後、図に示すＡ工程からＤ工程に続く。
【００２６】
先ず、第１工程ＡはフィルムＦのリーダー部にスプール係止孔を有するフィルムＦと、スプール係止孔に係合する係止爪を有するスプール４０を組み込む工程である。なお、詳しくは図６で後述する。次に第２工程Ｂはスプール係止孔を係止爪に係止してリーダー部Ｆ２ａをスプール４０に係止する工程である。また、第３工程ＣはフィルムＦの装填、取り出し時に開閉する後カバー７を組み込む工程で、更に、第４工程Ｄは組立治具６０により巻上げノブ１１を回転してフィルムＦのリーダー部を所定量だけスプールに巻き込む工程である。
【００２７】
ここで、前述のフィルムＦのリーダー部、スプール４０について図６で説明すると、フィルムＦは感光層を有するフィルムＦ１と遮光紙Ｆ２で構成され、フィルムＦのリーダー部Ｆ２ａにはスプール係止孔Ｆ２ｂと治具用孔Ｆ２ｃが設けられている。なお、治具を使用しない場合は治具用孔Ｆ２ｃは不要である。次に、スプール４０はスリット４１があり、スリット４１にはスプール係止孔Ｆ２ｂが係止する係止爪４２が設けられ、フィルムＦは芯４３に巻きつく。
【００２８】
次に、治具を使用してリーダー部をスプールへ係止する方法について図７を参照して説明すると、最初にフィルムＦの治具用孔Ｆ２ｃに組立治具５１の爪部７１を入れ、予めスリットの位相が決められて組み込まれたスプール４０のスリット４１に挿入する。するとスプール係止孔Ｆ２ｂがスプール４０の係止爪４２に係止する。その後組立治具５１を引き抜く。このような製造方法にすることによりレンズ付きフィルムユニットの製造を自動化し易くなる。
【００２９】
（参考例２）
レンズ付きフィルムユニットの他の製造方法は参考例１で第４工程のない製造方法である。 図８はレンズ付きフィルムユニットの要部製造工程図である。図８で、レンズ付きフィルムユニットの要部製造工程を説明すると、ユニット本体１はシャッター、ファインダー等が組み込まれ、その後、図に示すＡ工程からＣ工程が続く。なお、第１工程Ａはリーダー部にスプール係止孔を有するフィルムＦと、前記スプール係止孔に係合する係止爪を有するスプール４０を組み込む工程である。また、第２工程Ｂはスプール係止孔を係止爪に係止してリーダー部Ｆ２ａをスプール４０に係止する工程である。更に、第３工程Ｃはフィルム装填、フィルム取り出し時に開閉する後カバー７を組み込む工程である。この製造方法によれば、従来のレンズ付きフィルムユニットの製造方法のようにフィルムを所定量巻き上げる工程を有さないので製造工程を簡略化できる。なお、この方法で製造されたレンズ付きフィルムユニットはユーザーが巻上げノブを操作して撮影１駒目がでるまでフィルムを巻き取る。
【００３０】
（参考例３）
レンズ付きフィルムユニットの他の製造方法について図を参照して説明する。図９はレンズ付きフィルムユニットの要部製造工程図である。なお、この方法で製造されるレンズ付きフィルムユニットは露光枠を挟んで一方の側に未露光フィルム収納室を、他方の側に露光済みフィルム収納室を有している。また未露光フィルム室には製造段階で少なくともフィルムのリーダー部に遮光紙を有するフィルムがロール状に巻回されて収容され、該露光済みフィルム収納室に回動自在のスプールが収納され、前記フィルムのリーダー部を前記スプールに係止している。
【００３１】
図９で、レンズ付きフィルムユニットの要部製造工程を説明すると、ユニット本体１（図５参照）はシャッター、ファインダー等が組み込まれ、その後、図に示すＡ工程からＤ工程に続く。第１工程Ａはリーダー部にスプール係止孔を有するフィルムＦと、前記スプール係止孔に係合する係止爪を有するスプール４０を組み込む工程である。第２工程Ｂはスプール係止孔を係止爪に係止してリーダー部Ｆ２ａをスプール４０に係止する工程である。第３工程Ｃは暗室状態で前記フィルムのリーダー部を所定量だけ組立治倶６０によりスプール４０に巻き込む工程である。更に、第４工程ＤはフィルムＦの装填、取り出し時に開閉する後カバー７を組み込む工程である。
【００３２】
この製造方法によれば、裏蓋を開放した状態でフィルムの巻き上げを行えるので、巻き上げ時に発生し易い擦り傷を防止できる。なお、上記実施形態では、フィルムとスプールをユニット内に装填してからリーダー部をスプールに係止させたがリーダー部をスプールに係止させてからフィルムとスプールをユニット内に装填しても良い。
【００３３】
なお、実施形態１，２で使用するフィルムは、一般に１２０ブローニフィルムと呼ばれる裏紙（遮光紙）付きのフィルムについて説明したが、これに限定されるものではなく、少なくともフィルム後端部に遮光紙を有するフィルムであればよい。例えば、２２０ブローニフィルムと呼ばれるリーダー部とトレーラー部に遮光紙を有するフィルムでも良く、フィルム幅は約６ｃｍでもＪ１３５フィルムの３５ｍｍ幅でも、またこれ以外の幅でも良い。
【００３４】
また、参考例１、２、３で使用するフィルムは、一般に１２０ブローニフィルムと呼ばれる裏紙（遮光紙）付きのリーダー部にスプール係止孔を有するフィルムについて説明したが、これに限定されるものではなく、少なくともフィルムのリーダー部に遮光紙を有し、リーダー部にスプール係止孔を有するフィルムであればよい。例えば、２２０ブローニフィルムと呼ばれるリーダー部に遮光紙を有し、前記スプール係止孔を有するフィルムでも良く、フィルム幅は約６ｃｍでもＪ１３５フィルムの３５ｍｍ幅でも、またこれ以外の幅でも良い。更に、上記参考例１から３において、第１工程Ａはリーダー部にスプール係止孔を有するフィルムＦを組み込む工程と、更にスプール係止孔に係合する係止爪を有するスプール４０を組み込む工程に分けても良い。
【００３５】
【発明の効果】
以上のように構成したので下記のような効果を奏する。請求項１に記載の発明によれば、遮光紙の最後端の位置を検知し、検知に基づき、スプールに巻回したフィルムをスプールに巻き締めるので、確実に露光済みフィルムの光線漏れが防止できる。
【００３６】
請求項２に記載の発明によれば、フィルムの最終画面が露光枠の位置にある状態とフィルムの最端部がスプールの位置にある状態との間の予め定めた状態にフィルムが搬送されたことをフィルムの搬送長さを計測する計測機構により検知し、この検知に基づきスプールに巻回したフィルムをスプールに巻き締めるので、検出が確実にでき、確実に露光済みフィルムの光線漏れが防止できる。
【００３７】
請求項３から４に記載の発明によれば、スプールに巻回したフィルムをスプールに巻き締めるので、確実に露光済みフィルムの光線漏れが防止できる。また、検出が確実にできる。
【図面の簡単な説明】
【図１】レンズ付きフィルムユニットの外観斜視図である。
【図２】レンズ付きフィルムユニットの要部構成背面図である。
【図３】レンズ付きフィルムユニットのフィルムの巻き締めが行われている状態の構成側面図である。
【図４】レンズ付きフィルムユニットのフィルム巻き締め中の状態を示す側面図である。
【図５】レンズ付きフィルムユニットの要部製造工程図である。
【図６】フィルムのリーダー部とスプールの斜視図である。
【図７】組立治具によるリーダー部のスプールへの係止方法の説明図である。
【図８】レンズ付きフィルムユニットの要部製造工程図である。
【図９】レンズ付きフィルムユニットの要部製造工程図である。
【符号の説明】
１  ユニット本体
７  後カバー
８  未露光フィルム収納室
９  露光済みフィルム収納室
１０  露光枠
１１  巻上げノブ
１８  レバー
２１  第１レバー
３１  第２レバー
３２  摩擦部材
３３  軸
４０  スプール
４１  スリット
４２  係止爪
４５  スプール
５２  係止部
Ｆ  フィルム
Ｆ１  フィルム
Ｆ２  遮光紙
Ｆ２ａ  リーダー部
Ｆ２ｂ  スプール係止孔
Ｆ２ｃ  治具用孔
【図１】
0003635391.tif 000002
【図２】
0003635391.tif 000003
【図３】
0003635391.tif 000004
【図４】
0003635391.tif 000005
【図５】
0003635391.tif 000006
【図６】
0003635391.tif 000007
【図７】
0003635391.tif 000008
【図８】
0003635391.tif 000009
【図９】
0003635391.tif 000010